(57)【要約】【課題】番組録画装置を通信回線に接続することなく、携帯端末から放送番組の録画予約を行うことが可能な録画予約送信装置を提供する。【解決手段】録画予約送信装置２は、携帯端末から、通信回線Ｎを介して、番組録画装置を特定する装置特定情報と予約対象の放送番組を特定する予約番組特定情報とからなる録画予約情報を受信する通信受信手段２１と、録画予約情報を、予め定められた放送波の伝送形式の録画制御情報として生成する録画制御情報生成手段（ＥＭＭ生成手段２３ｂ）と、録画制御情報を、予め定めた録画制御情報送信用のチャンネルである録画制御チャンネルに多重化して、放送波Ｗとして送信する放送送信手段２５と、を備えることを特徴とする。【選択図】図２
2008306622.tif 000002
【特許請求の範囲】
【請求項１】
通信回線を介して携帯端末から送信された、放送番組に対する録画予約の指示を、放送波を介して番組録画装置に送信する録画予約送信装置であって、
前記携帯端末から、前記通信回線を介して、前記番組録画装置を特定する装置特定情報と予約対象の前記放送番組を特定する予約番組特定情報とからなる録画予約情報を受信する通信受信手段と、
この通信受信手段で受信した録画予約情報を、予め定められた放送波の伝送形式の録画制御情報として生成する録画制御情報生成手段と、
この録画制御情報生成手段で生成された録画制御情報を、予め定めた録画制御情報送信用のチャンネルである録画制御チャンネルに多重化して、放送波として送信する放送送信手段と、
を備えることを特徴とする録画予約送信装置。
【請求項２】
前記番組録画装置と共通に保有する鍵として、共通鍵暗号方式における共通鍵を記憶する共通鍵記憶手段を、さらに備え、
前記録画制御情報生成手段は、前記装置特定情報と前記予約番組特定情報とを、前記装置特定情報で特定される番組録画装置に固有の前記共通鍵に基づいて暗号化することで、前記番組録画装置固有の個別情報として前記録画制御情報を生成することを特徴とする請求項１に記載の録画予約送信装置。
【請求項３】
請求項１に記載の録画予約送信装置から送信された録画制御情報に基づいて、放送番組を録画する番組録画装置であって、
当該番組録画装置に固有の装置識別情報を記憶した識別情報記憶手段と、
放送波を介して、放送信号を受信する放送受信手段と、
この放送受信手段で受信した放送信号から、選局されたチャンネルの放送信号を復調する番組チャンネル復調手段と、
この番組チャンネル復調手段で復調された放送信号を放送番組として復号する番組チャンネル復号手段と、
この番組チャンネル復号手段で復号された放送番組を記憶する番組記憶手段と、
前記放送受信手段で受信した放送波から、予め定めた録画制御チャンネルの放送信号を復調する録画チャンネル復調手段と、
この録画チャンネル復調手段で復調された放送信号を復号し、前記録画制御情報から録画予約情報を抽出する録画予約情報抽出手段と、
この録画予約情報抽出手段で抽出された録画予約情報に含まれている装置特定情報と、前記識別情報記憶手段に記憶されている装置識別情報とを比較することで、前記録画予約情報が当該番組録画装置に対する録画予約情報であるか否かを判定する判定手段と、
この判定手段で前記録画予約情報が当該番組録画装置に対する録画予約情報であると判定した場合に、当該録画予約情報に含まれている予約番組特定情報を記憶する番組予約内容記憶手段と、
この番組予約内容記憶手段に記憶されている予約番組特定情報で特定される予約内容に基づいて、前記番組チャンネル復調手段に対して、チャンネルの選局を指示するとともに、前記番組チャンネル復号手段に対して、復号された放送番組の前記番組記憶手段への記憶を指示する録画制御手段と、
を備えることを特徴とする番組録画装置。
【請求項４】
放送番組に対する録画予約の指示を、通信回線を介して送信する携帯端末と、当該携帯端末から受信した前記録画予約の指示を、放送波を介して送信する録画予約送信装置と、当該録画予約送信装置から受信した前記録画予約の指示に基づいて前記放送番組を録画する番組録画装置と、を備えた遠隔録画予約システムであって、
前記録画予約送信装置は、
前記携帯端末から、前記通信回線を介して、前記番組録画装置を特定する装置特定情報と予約対象の前記放送番組を特定する予約番組特定情報とからなる録画予約情報を受信する通信受信手段と、
この通信受信手段で受信した録画予約情報を、予め定められた放送波の伝送形式の録画制御情報として生成する録画制御情報生成手段と、
この録画制御情報生成手段で生成された録画制御情報を、予め定めた録画制御情報送信用のチャンネルである録画制御チャンネルに多重化して、放送波として送信する放送送信手段と、を備え、
前記番組録画装置は、
当該番組録画装置に固有の装置識別情報を記憶した識別情報記憶手段と、
放送波を介して放送信号を受信する放送受信手段と、
この放送受信手段で受信した放送信号から、選局されたチャンネルの放送番組の放送信号を復調する番組チャンネル復調手段と、
この番組チャンネル復調手段で復調された放送信号を放送番組として復号する番組チャンネル復号手段と、
この番組チャンネル復号手段で復号された放送番組を記憶する番組記憶手段と、
前記放送受信手段で受信した放送波から、予め定めた録画制御チャンネルの放送信号を復調する録画チャンネル復調手段と、
この録画チャンネル復調手段で復調された放送信号復号し、前記録画制御情報から録画予約情報を抽出する録画予約情報抽出手段と、
この録画予約情報抽出手段で抽出された録画予約情報に含まれている装置特定情報と、前記識別情報記憶手段に記憶されている装置識別情報とを比較することで、前記録画予約情報が当該番組録画装置に対する録画予約情報であるか否かを判定する判定手段と、
この判定手段で前記録画予約情報が当該番組録画装置に対する録画予約情報であると判定した場合に、当該録画予約情報に含まれている予約番組特定情報を記憶する番組予約内容記憶手段と、
この番組予約内容記憶手段に記憶されている予約番組特定情報で特定される予約内容に基づいて、前記番組チャンネル復調手段に対して、チャンネルの選局を指示するとともに、前記番組チャンネル復号手段に対して、復号された放送番組の前記番組記憶手段への記憶を指示する録画制御手段と、
を備えることを特徴とする遠隔録画予約システム。
【発明の詳細な説明】
【技術分野】
【０００１】
本発明は、携帯端末を用いて放送番組の録画予約を行う録画予約送信装置、番組録画装置および遠隔録画予約システムに関する。
【背景技術】
【０００２】
近年、携帯端末（携帯電話）を用いて、デジタルチューナ内蔵のＤＶＤレコーダ等の番組録画装置に対して、視聴者が所望する放送番組の録画予約を行うシステム（遠隔録画予約システム）が種々提案されている（例えば、特許文献１参照）。
現在、提案されている遠隔録画予約システムは、まず、携帯端末が、通信回線を介して、放送事業者側のサーバから、放送番組のＥＰＧ（Electric Program Guide）等の番組表を取得する。そして、遠隔録画予約システムは、視聴者が当該番組表から、予約したい放送番組を決定することで、携帯端末が、通信回線を介して、チャンネル、録画時間等の予約内容を示す予約情報を番組録画装置に送信する。そして、遠隔録画予約システムは、番組録画装置において、受信した予約内容を示す予約情報に基づいて、放送番組の録画予約を行う。なお、この予約情報は、通信事業者が提供するＥＰＧアプリケーションや電子メール等によって、番組録画装置に送信される手法が提案されている。
このように、通信回線を介して、予約情報を送信することで、携帯端末によって、番組録画装置に対して、録画予約の遠隔操作を行うことができる。
【特許文献１】特開２００２−１１８７９３号公報（段落〔００２５〕〜〔００４３〕、図１、図３）
【発明の開示】
【発明が解決しようとする課題】
【０００３】
前記した従来の遠隔録画予約システムは、携帯端末から、通信回線を介して、番組録画装置に対して放送番組の録画予約の指示を行うため、番組録画装置を通信回線に接続しなければならない。このため、従来の遠隔録画予約システムでは、番組録画装置を通信回線に接続するための接続作業や、通信事業者への登録作業等の設定を行わなければならず、初期設定時における作業に手間がかかるという問題がある。
【０００４】
また、放送番組を受信し、視聴するための番組録画装置は、通常、通信回線に接続されたものは少なく、遠隔操作のためだけに、通信回線への接続を強いるのは、作業に手間がかかる以外に、視聴者に、通信事業者に対する契約等の負担を強いることになってしまう。
【０００５】
本発明は、前記した課題を解決するためになされたものであり、番組録画装置を通信回線に接続することなく、携帯端末から放送番組の録画予約を行うことが可能な録画予約送信装置、番組録画装置および遠隔録画予約システムを提供することを目的とする。
【課題を解決するための手段】
【０００６】
本発明は、前記目的を達成するために創案されたものであり、まず、請求項１に記載の録画予約送信装置は、通信回線を介して携帯端末から送信された、放送番組に対する録画予約の指示を、放送波を介して番組録画装置に送信する録画予約送信装置であって、通信受信手段と、録画制御情報生成手段と、放送送信手段と、を備える構成とした。
【０００７】
かかる構成において、録画予約送信装置は、通信受信手段によって、携帯端末から、通信回線を介して、番組録画装置を特定する装置特定情報と、予約対象の放送番組を特定する予約番組特定情報とからなる録画予約情報を受信する。ここで、装置特定情報は、番組録画装置を特定する固有の情報であって、例えば、デジタル放送におけるＣＡＳカードに記憶されている番号（ＣＡＳ番号）等である。また、予約番組特定情報は、予約対象の放送番組を特定する情報であって、例えば、チャンネル番号、録画開始時間、録画終了時間等である。
【０００８】
そして、録画予約送信装置は、録画制御情報生成手段によって、通信受信手段で受信した録画予約情報を、予め定められた放送波の伝送形式の録画制御情報として生成する。この伝送形式は、放送波で伝送可能な形式であれば特に限定するものではないが、例えば、デジタル放送で用いられる個別情報（ＥＭＭ：Entitlement Management Message）の形式や、ＢＭＬ（Broadcast Markup Language）の記述形式とすることができる。これによって、録画予約情報を放送波の伝送形式とすることができる。
【０００９】
そして、録画予約送信装置は、放送送信手段によって、録画制御情報生成手段で生成された録画制御情報を、予め定めた録画制御情報送信用のチャンネルである録画制御チャンネルに多重化して、放送波として送信する。これによって、放送番組と分離して録画制御情報が、放送波を介して、番組録画装置に配信されることになる。
【００１０】
また、請求項２に記載の録画予約送信装置は、請求項１に記載の録画予約送信装置において、共通鍵記憶手段を、さらに備える構成とした。
【００１１】
かかる構成において、録画予約送信装置は、番組録画装置と共通に保有する鍵として、共通鍵暗号方式における共通鍵を記憶する共通鍵記憶手段を備えることで、録画制御情報生成手段が、装置特定情報と予約番組特定情報とを、装置特定情報で特定される番組録画装置に固有の共通鍵に基づいて暗号化することで、番組録画装置固有の個別情報として録画制御情報を生成する。これによって、個別の番組録画装置に対する録画制御情報が、当該番組録画装置のみでしか復号できないことになる。
【００１２】
さらに、請求項３に記載の番組録画装置は、請求項１に記載の録画予約送信装置から送信された録画制御情報に基づいて、放送番組を録画する番組録画装置であって、識別情報記憶手段と、放送受信手段と、番組チャンネル復調手段と、番組チャンネル復号手段と、番組記憶手段と、録画チャンネル復調手段と、録画予約情報抽出手段と、判定手段と、番組予約内容記憶手段と、録画制御手段と、を備える構成とした。
【００１３】
かかる構成において、番組録画装置は、放送受信手段によって、放送波を介して、放送信号を受信する。そして、番組録画装置は、番組チャンネル復調手段によって、放送受信手段で受信した放送信号から、選局されたチャンネルの放送信号を復調する。この番組チャンネル復調手段は視聴者からの指示または録画制御手段によって、チャンネルが選局される。さらに、番組録画装置は、番組チャンネル復号手段によって、番組チャンネル復調手段で復調された放送信号を放送番組として復号する。例えば、放送信号が、ＭＰＥＧ−２トランスポートストリームで配信される場合、番組チャンネル復号手段は、ＭＰＥＧ−２トランスポートストリームを、個々の放送番組のＭＰＥＧ−２データとして復号する。
【００１４】
そして、番組録画装置は、録画チャンネル復調手段によって、放送受信手段で受信した放送波から、予め定めた録画制御チャンネルの放送信号を復調する。さらに、番組録画装置は、録画予約情報抽出手段によって、録画チャンネル復調手段で復調された放送信号を復号し、録画制御情報から録画予約情報を抽出する。このように、番組録画装置は、録画制御チャンネルから、録画予約情報を抽出することで、常に、録画予約の有無を監視することができる。
【００１５】
そして、番組録画装置は、判定手段によって、録画予約情報に含まれている装置特定情報と、識別情報記憶手段に記憶されている番組録画装置に固有の装置識別情報とを比較する。これによって、録画予約情報が当該番組録画装置に対する録画予約情報であるか否かを判定することができる。
そして、番組録画装置は、判定手段によって、録画予約情報が当該番組録画装置に対する録画予約情報であると判定した場合にのみ、録画予約情報に含まれている予約番組特定情報を番組予約内容記憶手段に記憶する。これによって、放送番組の録画予約が行われたことになる。
【００１６】
さらに、番組録画装置は、録画制御手段によって、番組予約内容記憶手段に記憶されている予約番組特定情報で特定される予約内容に基づいて、番組チャンネル復調手段に対して、チャンネルの選局を指示するとともに、番組チャンネル復号手段に対して、復号された放送番組の番組記憶手段への記憶を指示する。これによって、録画予約時間に所望の放送番組が録画されることになる。
【００１７】
また、請求項４に記載の遠隔録画予約システムは、放送番組に対する録画予約の指示を、通信回線を介して送信する携帯端末と、当該携帯端末から受信した前記録画予約の指示を、放送波を介して送信する録画予約送信装置と、当該録画予約送信装置から受信した前記録画予約の指示に基づいて前記放送番組を録画する番組録画装置と、を備えた遠隔録画予約システムであって、録画予約送信装置が、通信受信手段と、録画制御情報生成手段と、放送送信手段と、を備え、番組録画装置が、識別情報記憶手段と、放送受信手段と、番組チャンネル復調手段と、番組チャンネル復号手段と、番組記憶手段と、録画チャンネル復調手段と、録画予約情報抽出手段と、判定手段と、番組予約内容記憶手段と、録画制御手段と、を備える構成とした。
【００１８】
かかる構成において、遠隔録画予約システムは、携帯端末から送信される放送番組に対する録画予約の指示（録画予約情報）を、録画予約送信装置が、通信受信手段によって、通信回線を介して受信する。
そして、録画予約送信装置は、録画制御情報生成手段によって、通信受信手段で受信した録画予約情報を、予め定められた放送波の伝送形式の録画制御情報として生成する。そして、録画予約送信装置は、放送送信手段によって、録画制御情報生成手段で生成された録画制御情報を、予め定めた録画制御情報送信用のチャンネルである録画制御チャンネルに多重化して、放送波として送信する。
【００１９】
また、番組録画装置は、放送受信手段によって、放送波を介して、放送信号を受信する。そして、番組録画装置は、番組チャンネル復調手段によって、放送受信手段で受信した放送信号から、選局されたチャンネルの放送信号を復調する。さらに、番組録画装置は、番組チャンネル復号手段によって、番組チャンネル復調手段で復調された放送信号を放送番組として復号する。
そして、番組録画装置は、録画チャンネル復調手段によって、放送受信手段で受信した放送波から、予め定めた録画制御チャンネルの放送信号を復調する。さらに、番組録画装置は、録画予約情報抽出手段によって、録画チャンネル復調手段で復調された放送信号を復号し、録画制御情報から録画予約情報を抽出する。
【００２０】
そして、番組録画装置は、判定手段によって、録画予約情報に含まれている装置特定情報と、識別情報記憶手段に記憶されている番組録画装置に固有の装置識別情報とを比較する。そして、番組録画装置は、判定手段によって、録画予約情報が当該番組録画装置に対する録画予約情報であると判定した場合にのみ、録画予約情報に含まれている予約番組特定情報を番組予約内容記憶手段に記憶する。
【００２１】
さらに、番組録画装置は、録画制御手段によって、番組予約内容記憶手段に記憶されている予約番組特定情報で特定される予約内容に基づいて、番組チャンネル復調手段に対して、チャンネルの選局を指示するとともに、番組チャンネル復号手段に対して、復号された放送番組の番組記憶手段への記憶を指示する。
【発明の効果】
【００２２】
本発明は、以下に示す優れた効果を奏するものである。
請求項１に記載の発明によれば、携帯端末から送信された放送番組の録画予約情報を、通信回線を介して受信し、その録画予約情報を、番組録画装置を指定して放送波として送信することができる。これによって、番組録画装置を通信回線に接続することなく、遠隔地から放送番組の録画予約を行うことができる。また、請求項１に記載の発明によれば、録画制御チャンネルを介して、録画予約情報を送信するため、番組録画装置において、常に同一のチャンネルを監視するだけで、録画予約情報を抽出することができ、抽出処理の負荷を軽減させることができる。
【００２３】
請求項２に記載の発明によれば、番組録画装置に固有の共通鍵で録画予約情報を暗号化するため、放送波を介して送信した場合であっても、録画の対象となる番組録画装置に対してのみ、放送番組の録画予約を行うことができる。
【００２４】
請求項３に記載の発明によれば、放送波を介して、放送番組の録画予約を行うことができる。また、請求項３に記載の発明によれば、固有の録画制御チャンネルを介して、録画予約情報を取得するため、録画予約情報の抽出処理の負荷を軽減させることができる。
【００２５】
請求項４に記載の発明によれば、遠隔地から携帯端末を用いて、番組録画装置に対して放送番組の録画予約を行うことができる。また、請求項４に記載の発明によれば、番組録画装置に対して、放送波を介して録画予約情報を送信するため、番組録画装置を通信回線に接続することがない。これによって、視聴者に対して、通信回線への接続作業を行う手間を省き、通信事業者に対する契約等の負担を強いることになく、遠隔操作により放送番組を録画予約することができる。
【発明を実施するための最良の形態】
【００２６】
以下、本発明の実施の形態について図面を参照して説明する。
［遠隔録画予約システムの構成］
最初に、図１を参照して、本発明の実施形態に係る遠隔録画予約システムの構成について説明する。図１は、本発明の実施形態に係る遠隔録画予約システムの構成を示す概略構成図である。図１に示すように、遠隔録画予約システムＳは、携帯端末１と、放送番組送信装置（録画予約送信装置）２と、番組録画装置３とで構成される。なお、携帯端末１および番組録画装置３は、視聴者の数に応じて、複数存在する。
【００２７】
携帯端末１は、携帯電話、ワンセグ携帯等のインターネット等の通信回線Ｎを介して通信可能な端末である。この携帯端末１は、通信回線Ｎを介して、放送番組の録画予約を行うための録画予約情報（装置特定情報および予約番組特定情報）を、放送番組送信装置２に送信する。
【００２８】
この装置特定情報は、番組録画装置３を特定する情報であれば、特に限定するものではないが、ここでは、番組録画装置３に挿入されるセキュリティモジュールであるＣＡＳ（限定受信システム：Conditional Access System）カードのＩＤ番号（以下、ＣＡＳ番号という）とする。なお、装置特定情報は、操作者がボタン操作によって文字列を入力することで設定することとしてもよいし、予め携帯端末１内の図示を省略した記憶手段に記憶しておくこととしてもよい。
【００２９】
また、予約番組特定情報は、放送番組の予約内容を特定する情報であって、例えば、チャンネル番号、録画開始時間、録画終了時間等である。なお、携帯端末１は、予約番組特定情報を、操作者がボタン操作によって文字列を入力することで設定してもよいし、携帯端末１が通信事業者からＥＰＧを取得し、操作者がＥＰＧから予約する番組を選択することで設定してもよい。
【００３０】
放送番組送信装置（録画予約送信装置）２は、携帯端末１から送信された、放送番組に対する録画予約の指示を、放送波Ｗを介して番組録画装置３に送信するものである。この放送番組送信装置２は、通信回線Ｎを介して受信した録画予約情報を、予め定められた放送波Ｗの伝送形式の録画制御情報として生成し、デジタル放送（データ放送）の放送波Ｗに多重化して、視聴者宅に備えられた番組録画装置３に送信する。なお、この放送番組送信装置２については、後で詳細に説明を行うことにする。
【００３１】
番組録画装置３は、視聴者宅等に備えられたデジタルチューナ内蔵録画機等の放送番組を受信、録画するものである。この番組録画装置３は、放送波Ｗを介して送信される録画制御情報に含まれる装置特定情報（ここでは、ＣＡＳ番号）に基づいて、当該録画制御情報が、当該番組録画装置３に対する制御情報であることを認識し、録画制御情報に含まれる予約番組特定情報に基づいて、該当する放送番組の録画予約を行う。なお、この番組録画装置３については、後で詳細に説明を行うことにする。
このように、遠隔録画予約システムＳを構成することで、番組録画装置３は、通信回線Ｎに接続することなく、携帯端末１からの遠隔操作により放送番組の録画予約を行うことができる。
以下、放送番組送信装置２および番組録画装置３の構成について詳細に説明を行う。
【００３２】
（放送番組送信装置〔録画予約送信装置〕の構成）
まず、図２を参照（適宜図１参照）して、放送番組送信装置２の構成について説明を行う。図２は、本発明の実施形態に係る放送番組送信装置（録画予約送信装置）の構成を示すブロック図である。図２に示すように、放送番組送信装置２は、通信受信手段２１と、共通鍵記憶手段２２と、ＥＣＭ／ＥＭＭ生成手段２３と、スクランブル手段２４と、放送送信手段２５とを備えている。
【００３３】
通信受信手段２１は、携帯端末１から、通信回線Ｎを介して、番組録画装置３を特定する装置特定情報と放送番組の予約内容を特定する予約番組特定情報とからなる録画予約情報を受信するものである。この通信受信手段２１で受信した録画予約情報は、ＥＣＭ／ＥＭＭ生成手段２３に出力される。
【００３４】
共通鍵記憶手段２２は、放送番組を暗号化する鍵（スクランブル鍵Ｋｓ）、録画予約情報を暗号化する鍵（ワーク鍵Ｋｗ）、そのワーク鍵Ｋｗを暗号化する鍵（マスタ鍵Ｋｍ）といった、共通鍵暗号方式における共通鍵を記憶するもので、ハードディスク等の一般的な記憶装置である。なお、マスタ鍵Ｋｍは、番組録画装置３ごとに固有の鍵であって、予め番組録画装置３に組み込まれるセキュリティモジュール（ＣＡＳカード）内に記憶しておく情報である。ここでは、共通鍵記憶手段２２には、マスタ鍵Ｋｍを、ＣＡＳ番号に対応付けて記憶しておく。また、スクランブル鍵Ｋｓ、ワーク鍵Ｋｗは、定期的に更新される鍵である。
【００３５】
ＥＣＭ／ＥＭＭ生成手段２３は、デジタル放送のＣＡＳ（限定受信システム）で用いられる共通情報（ＥＣＭ：Entitlement Control Message）や個別情報（ＥＭＭ：Entitlement Management Message）を生成するものである。ここでは、ＥＣＭ／ＥＭＭ生成手段２３は、ＥＣＭ生成手段２３ａと、ＥＭＭ生成手段２３ｂとを備えている。
【００３６】
ＥＣＭ生成手段２３ａは、すべての番組録画装置３に対して共通の情報（ＥＣＭ）を生成するものである。このＥＣＭ生成手段２３ａは、放送番組を暗号化したスクランブル鍵や、暗号化した放送番組の番組情報等を、ワーク鍵Ｋｗで暗号化することでＥＣＭを生成する。このＥＣＭ生成手段２３ａで生成されたＥＣＭは、放送送信手段２５に出力される。
【００３７】
ＥＭＭ生成手段（録画制御情報生成手段）２３ｂは、個々の番組録画装置３に対して個別の情報（ＥＭＭ）を生成するものである。このＥＭＭ生成手段２３ｂは、契約情報や録画予約情報、ワーク鍵Ｋｗ等を、マスタ鍵Ｋｍで暗号化することでＥＭＭ（録画制御情報）を生成する。このＥＭＭ生成手段２３ｂで生成されたＥＭＭは、放送送信手段２５に出力される。
【００３８】
なお、ＥＭＭ生成手段２３ｂは、録画予約情報に含まれている装置特定情報であるＣＡＳ番号をＥＭＭのヘッダ領域に記述し、予約番組特定情報であるチャンネル番号、録画開始時間および録画終了時間をＥＭＭのメッセージコード領域に記述することとする。これによって、番組録画装置３では、ヘッダ領域を解析するだけで、当該録画予約情報が自己の番組録画装置３に対する情報であるか否かを容易に判定することができる。
また、ＥＭＭ生成手段２３ｂは、番組録画装置３に対して個別の情報を送信する段階で動作するが、録画制御情報としてＥＭＭを生成して出力するタイミングは、通信受信手段２１から録画予約情報を入力したタイミングとする。なお、ＥＭＭ生成手段２３ｂは、ＥＭＭが録画制御情報である場合、その旨を放送送信手段２５に通知することとする。
【００３９】
スクランブル手段２４は、放送番組を暗号化するものである。このスクランブル手段２４は、放送番組をスクランブル鍵Ｋｓで暗号化し、放送送信手段２５に出力する。
【００４０】
放送送信手段２５は、ＥＣＭ／ＥＭＭ生成手段２３で暗号化された情報（ＥＣＭ、ＥＭＭ）を、放送波Ｗを介して番組録画装置３に送信（配信）するものである。ここでは、放送送信手段２５は、多重化手段２５ａを備えている。
【００４１】
多重化手段２５ａは、ＥＣＭ／ＥＭＭ生成手段２３のＥＣＭ生成手段２３ａで生成された共通情報（ＥＣＭ）と、ＥＭＭ生成手段２３ｂで生成された個別情報（ＥＭＭ）とを、スクランブル手段２４で暗号化された放送番組に多重化するものである。
【００４２】
なお、多重化手段２５ａは、ＥＭＭ生成手段２３ｂから、ＥＭＭが録画制御情報である旨の通知を受けた場合、当該ＥＭＭを、予め定めた録画制御情報送信用のチャンネルである録画制御チャンネルに多重化することとする。この録画制御チャンネルは、番組録画装置３との間で、予め定めたチャンネルであればどのチャンネルを使用しても構わないが、例えば、ＮＨＫ総合チャンネル等である。なお、各チャンネルは、ＭＰＥＧ−２トランスポートストリーム形式で放送番組が配信されるものとし、録画制御情報のＥＭＭは、当該チャンネルのＭＰＥＧ−２トランスポートストリームのＴＳ番号が同一のＴＳパケットとして配信される。
【００４３】
以上説明したように、放送番組送信装置２は、携帯端末１から、通信回線Ｎを介して、録画予約情報を受信した段階で、録画制御情報であるＥＭＭを生成し、番組録画装置３に送信（配信）する。これによって、放送番組送信装置２は、番組録画装置３に対して、放送波Ｗを介して、録画予約の指示を送信することができる。
【００４４】
（番組録画装置の構成）
次に、図３を参照（適宜図１参照）して、番組録画装置３の構成について説明を行う。図３は、本発明の実施形態に係る番組録画装置の構成を示すブロック図である。図３に示すように、番組録画装置３は、放送受信手段３１と、チャンネル復号手段３２と、録画制御手段３３と、番組／予約内容記憶手段３４と、映像復号手段３５と、音声復号手段３６と、セキュリティモジュール３７と、を備えている。
【００４５】
放送受信手段３１は、放送波Ｗを介して、デジタル放送で配信される放送信号を受信するものである。ここでは、放送受信手段３１は、番組チャンネル復調手段３１ａと、録画チャンネル復調手段３１ｂと、を備えている。
【００４６】
番組チャンネル復調手段３１ａは、選局されたチャンネルの放送信号を放送波Ｗから復調するものである。この番組チャンネル復調手段３１ａは、図示を省略したリモコン装置等によって、視聴者が選局したチャンネルの放送信号を復調することで、ＭＰＥＧ−２トランスポートストリーム（以下、ＭＰＥＧ−２  ＴＳという）を生成する。この番組チャンネル復調手段３１ａで復調されたＭＰＥＧ−２  ＴＳは、チャンネル復号手段３２の番組チャンネル復号手段３２ａに出力される。
なお、番組チャンネル復調手段３１ａは、後記する録画制御手段３３から、切り替え信号により、チャンネルの切り替えを指示された場合、当該チャンネルに受信チャンネルを切り替えることとする。
【００４７】
録画チャンネル復調手段３１ｂは、予め定めた録画制御情報送信用のチャンネルである録画制御チャンネルの放送信号を放送波Ｗから復調するものである。この録画制御チャンネルは、放送番組送信装置２において、録画制御情報であるＥＭＭを多重化したチャンネルである。この録画チャンネル復調手段３１ｂで復調されたＭＰＥＧ−２  ＴＳは、チャンネル復号手段３２の録画制御情報復号手段３２ｂに出力される。
【００４８】
チャンネル復号手段３２は、放送受信手段３１で受信し、復調されたＭＰＥＧ−２  ＴＳを放送番組として復号するものである。ここでは、チャンネル復号手段３２は、番組チャンネル復号手段３２ａと、録画制御情報復号手段３２ｂとを備えている。
【００４９】
番組チャンネル復号手段３２ａは、番組チャンネル復調手段３１ａで復調されたＭＰＥＧ−２  ＴＳを復号することで、放送番組ごとのＭＰＥＧ−２の映像符号化データおよび音声符号化データを生成するものである。この番組チャンネル復号手段３２ａで生成された映像符号化データは映像復号手段３５に出力され、音声符号化データは音声復号手段３６に出力される。
【００５０】
また、番組チャンネル復号手段３２ａは、ＭＰＥＧ−２  ＴＳが暗号化されている場合、ＭＰＥＧ−２  ＴＳに多重化されているＥＣＭおよびＥＭＭをセキュリティモジュール３７に出力し、セキュリティモジュール３７からスクランブル鍵を取得することで、暗号化されているＭＰＥＧ−２  ＴＳを復号する。
なお、番組チャンネル復号手段３２ａは、後記する録画制御手段３３から、切り替え信号により、記憶先の切り替えを指示された場合、復号した放送番組を番組／予約内容記憶手段３４に記憶することとする。
【００５１】
録画制御情報復号手段（録画予約情報抽出手段）３２ｂは、録画チャンネル復調手段３１ｂで復調されたＭＰＥＧ−２  ＴＳを符号復号することで、ＭＰＥＧ−２  ＴＳに多重化されているＥＭＭ（録画制御情報）を復号し、録画予約情報を抽出するものである。なお、録画制御情報復号手段３２ｂは、ＥＭＭをセキュリティモジュール３７に出力することで、セキュリティモジュール３７から録画予約情報を取得する。この録画制御情報復号手段３２ｂで復号された録画予約情報に含まれている予約番組特定情報（チャンネル番号、録画開始時間、録画終了時間）は、番組／予約内容記憶手段３４に記憶される。
【００５２】
録画制御手段３３は、番組／予約内容記憶手段３４に記憶されている予約番組特定情報に基づいて、図示を省略したタイマが録画開始時間に達した段階で、番組チャンネル復調手段３１ａに対して、チャンネル番号で示されるチャンネルへの切り替えを指示し、番組チャンネル復号手段３２ａに対して、放送番組（映像符号化データおよび音声符号化データ）を、番組／予約内容記憶手段３４に記憶する旨の指示を行うことで、放送番組の録画を開始する。なお、録画制御手段３３は、図示を省略したタイマが録画終了時間に達した段階で、番組チャンネル復号手段３２ａに対して、放送番組（映像符号化データおよび音声符号化データ）の番組／予約内容記憶手段３４への記憶を停止する旨の指示を行うことで、放送番組の録画を終了する。
【００５３】
番組／予約内容記憶手段（番組記憶手段、番組予約内容記憶手段）３４は、番組チャンネル復号手段３２ａで復号された放送番組（映像符号化データおよび音声符号化データ）や、録画制御情報復号手段３２ｂで復号された予約番組特定情報（チャンネル番号、録画開始時間、録画終了時間）を記憶するものであって、ハードディスク等の一般的な記憶装置である。
【００５４】
映像復号手段３５は、チャンネル復号手段３２の番組チャンネル復号手段３２ａで復号された映像符号化データを、図示を省略した表示装置に出力可能な映像データとして復号するものである。この映像復号手段３５は、番組チャンネル復号手段３２ａで復号されたＭＰＥＧ−２の映像符号化データを、ＭＰＥＧ−２の規格に基づいて復号することで映像データを生成する。
【００５５】
音声復号手段３６は、チャンネル復号手段３２の番組チャンネル復号手段３２ａで復号された音声符号化データを、図示を省略したスピーカに出力可能な音声データとして復号するものである。この音声復号手段３６は、番組チャンネル復号手段３２ａで復号されたＭＰＥＧ−２の音声符号化データを、ＭＰＥＧ−２の規格に基づいて復号することで音声データを生成する。
【００５６】
セキュリティモジュール（録画予約情報抽出手段）３７は、番組録画装置３内部に組み込まれた、マスタ鍵等を保持し限定受信を行うためのＩＣカード（ＣＡＳカード）である。このセキュリティモジュール３７は、ＥＭＭ復号手段３７ａと、ＥＣＭ復号手段３７ｂと、判定手段３７ｃと、鍵記憶手段３７ｄと、を備えている。なお、本実施の形態においては、録画制御情報復号手段３２ｂと、セキュリティモジュール３７とで、特許請求の範囲に記載の録画予約情報抽出手段を構成している。
【００５７】
ＥＭＭ復号手段３７ａは、チャンネル復号手段３２から出力されたＥＭＭから、ＥＣＭを暗号化する際に用いられた暗号鍵であるワーク鍵および／または録画予約情報を抽出するものである。ここでは、ＥＭＭ復号手段３７ａは、鍵記憶手段３７ｄに記憶されているセキュリティモジュール３７固有のマスタ鍵で、ＥＭＭを復号することで、ワーク鍵および／または録画予約情報を抽出する。ここで抽出されたワーク鍵は、ＥＣＭ復号手段３７ｂに出力される。また、録画予約情報は、判定手段３７ｃに出力される。
【００５８】
ＥＣＭ復号手段３７ｂは、チャンネル復号手段３２から出力されたＥＣＭから、スクランブル鍵や暗号化した放送番組の番組情報等の共通情報を抽出するものである。ここでは、ＥＣＭ復号手段３７ｂは、ＥＭＭ復号手段３７ａで抽出されたワーク鍵で、ＥＣＭを復号することで、スクランブル鍵、番組情報等の共通情報を抽出する。ここで抽出された共通情報は、チャンネル復号手段３２に出力される。
【００５９】
判定手段３７ｃは、ＥＭＭ復号手段３７ａで復号されたＥＭＭに含まれている録画予約情報が、当該番組録画装置３に対する情報であるか否かを判定するものである。この判定手段３７ｃは、ＥＭＭのヘッダ領域に記述されているＣＡＳ番号と、鍵記憶手段３７ｄに記憶されているＣＡＳ番号（装置識別情報）とを比較することで、録画予約情報が当該番組録画装置３に対する情報であるか否かを判定する。ここで、録画予約情報が、当該番組録画装置３に対する情報である場合、判定手段３７ｃは、録画予約情報を録画制御情報復号手段３２ｂに出力し、当該番組録画装置３に対する情報でない場合、録画予約情報を録画制御情報復号手段３２ｂに出力しないこととする。
【００６０】
鍵記憶手段（識別情報記憶手段）３７ｄは、セキュリティモジュール３７固有のマスタ鍵、ＣＡＳ番号（装置識別情報）を記憶するもので、半導体メモリ等の一般的な記憶媒体である。
以上説明したように、番組録画装置３は、放送番組送信装置２から放送波Ｗを介して送信されるＥＭＭによって、放送番組の録画予約を行うことができる。
【００６１】
［遠隔録画予約システムの動作］
次に、図４を参照（適宜図１〜図３参照）して、遠隔録画予約システムＳの動作について説明する。図４は、本発明の実施形態に係る遠隔録画予約システムの動作を示すフローチャートである。なお、ここでは、本発明の主要動作である携帯端末１から番組録画装置３に対して、放送番組の録画予約を行うまでの動作について説明することとする。
【００６２】
まず、遠隔録画予約システムＳは、携帯端末１において、録画予約情報（装置特定情報および予約番組特定情報）を設定する（ステップＳ１）。そして、携帯端末１が、通信回線Ｎを介して、録画予約情報を放送番組送信装置２に送信する（ステップＳ２）。
また、遠隔録画予約システムＳは、放送番組送信装置２の通信受信手段２１によって、通信回線Ｎを介して、録画予約情報を受信する（ステップＳ３）。その後、放送番組送信装置２は、ＥＣＭ／ＥＭＭ生成手段２３のＥＭＭ生成手段２３ｂによって、録画予約情報に含まれている装置特定情報であるＣＡＳ番号をＥＭＭのヘッダ領域に記述し、予約番組特定情報であるチャンネル番号、録画開始時間および録画終了時間をＥＭＭのメッセージコード領域に記述し、マスタ鍵Ｋｍで暗号化することでＥＭＭ（録画制御情報）を生成する（ステップＳ４）。
【００６３】
そして、放送番組送信装置２は、放送送信手段２５の多重化手段２５ａによって、ステップＳ４で生成されたＥＭＭを、スクランブル手段２４で暗号化された所定チャンネル（録画制御チャンネル）の放送番組と多重化し（ステップＳ５）、放送波Ｗを介して配信する（ステップＳ６）。なお、ＥＣＭ生成手段２３ａによって、共通情報（スクランブル鍵Ｋｓ等）であるＥＣＭが生成された場合は、ステップＳ５において、多重化手段２５ａがＥＣＭについても多重化を行う。
【００６４】
その後、遠隔録画予約システムＳは、番組録画装置３の放送受信手段３１によって、放送波Ｗを介して、デジタル放送で配信される放送信号を受信する（ステップＳ７）。そして、番組録画装置３は、放送受信手段３１の録画チャンネル復調手段３１ｂによって、所定チャンネル（録画制御チャンネル）の放送信号を復調する（ステップＳ８）。
【００６５】
そして、番組録画装置３は、チャンネル復号手段３２の録画制御情報復号手段３２ｂによって、ＥＭＭを抽出する（ステップＳ９）。そして、番組録画装置３は、セキュリティモジュール３７内のＥＭＭ復号手段３７ａによって、鍵記憶手段３７ｄに記憶されているマスタ鍵によって、ＥＭＭを復号することで録画予約情報を抽出する（ステップＳ１０）。
さらに、番組録画装置３は、判定手段３７ｃによって、ステップＳ１０で抽出された録画予約情報に含まれているＣＡＳ番号が、鍵記憶手段３７ｄに記憶されているＣＡＳ番号と同一であるか否かを判定することで、当該録画予約情報が、自装置に対する録画予約情報であるか否かを判定する（ステップＳ１１）。
【００６６】
そして、当該録画予約情報が自装置に対する録画予約情報である場合（ステップＳ１１でＹｅｓ）、録画制御情報復号手段３２ｂが、セキュリティモジュール３７から出力される録画予約情報（予約番組特定情報）を番組／予約内容記憶手段３４に記憶して（ステップＳ１２）、予約処理の動作を終了する。一方、当該ＥＭＭが自装置に対するＥＭＭである場合（ステップＳ１１でＮｏ）、番組録画装置３は録画予約動作を終了する。
【００６７】
なお、フローチャートとしては、図示していないが、録画制御手段３３は、番組／予約内容記憶手段３４に記憶されている予約番組特定情報の録画開始時間に達した段階で、番組チャンネル復調手段３１ａに対して、チャンネル番号で示されるチャンネルへの切り替えを指示し、番組チャンネル復号手段３２ａに対して、放送番組（映像符号化データおよび音声符号化データ）を、番組／予約内容記憶手段３４に記憶する旨を指示することで、放送番組の録画を行う。
【００６８】
以上の動作によって、遠隔録画予約システムＳは、携帯端末１によって、操作者が番組録画装置３から離れた遠隔地にいる場合であっても、放送番組の録画予約を行うことができる。また、このとき、番組録画装置３は、放送波Ｗを介して、録画予約情報を取得することができるため、通信回線Ｎに接続する必要がない。
【００６９】
以上、本発明に係る遠隔録画予約システムＳの構成および動作について説明したが、本発明は、この実施形態に限定されるものではない。
例えば、ここでは、録画予約情報をＥＭＭのメッセージデータとして番組録画装置３に配信することとしたが、データ放送で使用されているページ記述言語であるＢＭＬ（Broadcast Markup Language）によって記述し、配信することとしてもよい。例えば、以下のコーディング例に示すようにＢＭＬで記述することができる。
【００７０】
（コーディング例）
ｉｆ（番組録画装置のＣＡＳ番号＝＝予約の対象となるＣＡＳ番号）
｛ｅｐｇＲｅｓｅｒｖｅ（番組識別値）；｝
【００７１】
なお、このコーディング例において、予約の対象となるＣＡＳ番号は、携帯端末１から送信される録画予約情報に含まれている装置特定情報に相当する。また、番組識別値は、放送番組を特定する情報であって、例えば、ＢＳデジタル放送において、ネットワークＩＤ＝０００４，トランスポートストリームＩＤ＝４０ｆ２，サービスＩＤ＝０１０３，イベントＩＤ＝００１０の番組を予約する場合、“ａｒｉｂ：／／０００４．４０ｆ２．０１０３．００１０”とする。また、予め定めた録画予約関数（ｅｐｇＲｅｓｅｒｖｅ）の引数に当該番組識別値を設定することで、録画予約を指示することができる。
【００７２】
この場合、番組録画装置３は、録画制御情報復号手段３２ｂによって、ＢＭＬを解析し、携帯端末１から送信される録画予約情報に含まれている装置特定情報（予約の対象となるＣＡＳ番号）と、セキュリティモジュール３７から取得したＣＡＳ番号（装置識別情報）とを比較し、一致する場合に、録画予約関数（ｅｐｇＲｅｓｅｒｖｅ）を実行することで、録画予約情報（予約番組特定情報）を番組／予約内容記憶手段３４に記憶する。
【００７３】
最後に、本発明の実施形態において、携帯端末１の操作画面例について説明する。図５および図６は、携帯端末における操作画面例を示す図である。
図５においては、携帯端末１において、視聴者が放送番組を視聴中に、当該番組を録画予約する例を示している。例えば、図５（ａ）において、携帯端末１のデータ放送メニュー画面Ｍを表示し、「遠隔録画操作」のメニューにカーソルＢを移動させ決定ボタン（図示せず）を押下することで、（ｂ）に示すような録画予約情報を送信する確認画面Ｆを表示し、「はい」が選択された段階で、録画予約情報を放送番組送信装置２に送信し、（ｃ）に示すような送信結果画面Ｒを表示する。
【００７４】
また、図６においては、携帯端末１において、ＥＰＧによって、番組を録画予約する例を示している。例えば、図６（ａ）において、携帯端末１にＥＰＧの番組表Ｇを表示させ、録画を行う番組Ｔを選択する。その後、（ｂ）に示すような録画予約情報を送信する確認画面Ｆを表示し、「はい」が選択された段階で、録画予約情報を放送番組送信装置２に送信し、（ｃ）に示すような送信結果画面Ｒを表示する。
【図面の簡単な説明】
【００７５】
【図１】本発明の実施形態に係る遠隔録画予約システムの構成を示す概略構成図である。
【図２】本発明の実施形態に係る放送番組送信装置（録画予約送信装置）の構成を示すブロック図である。
【図３】本発明の実施形態に係る番組録画装置の構成を示すブロック図である。
【図４】本発明の実施形態に係る遠隔録画予約システムの動作を示すフローチャートである。
【図５】携帯端末における操作画面の例を示す図である。
【図６】携帯端末における操作画面の他の例を示す図である。
【符号の説明】
【００７６】
Ｓ      遠隔録画予約システム
１      携帯端末
２      放送番組送信装置（録画予約送信装置）
２１    通信受信手段
２２    共通鍵記憶手段
２３    ＥＣＭ／ＥＭＭ生成手段
２３ａ  ＥＣＭ生成手段
２３ｂ  ＥＭＭ生成手段（録画制御情報生成手段）
２４    スクランブル手段
２５    放送送信手段
２５ａ  多重化手段
３      番組録画装置
３１    放送受信手段
３１ａ  番組チャンネル復調手段
３１ｂ  録画チャンネル復調手段
３２    チャンネル復号手段
３２ａ  番組チャンネル復号手段
３２ｂ  録画制御情報復号手段（録画予約情報抽出手段）
３３    録画制御手段
３４    番組／予約内容記憶手段（番組記憶手段、番組予約内容記憶手段）
３５    映像復号手段
３６    音声復号手段
３７    セキュリティモジュール（録画予約情報抽出手段）
３７ａ  ＥＭＭ復号手段
３７ｂ  ＥＣＭ復号手段
３７ｃ  判定手段
３７ｄ  鍵記憶手段（識別情報記憶手段）
【図１】
2008306622.tif 000003
【図２】
2008306622.tif 000004
【図３】
2008306622.tif 000005
【図４】
2008306622.tif 000006
【図５】
2008306622.tif 000007
【図６】
2008306622.tif 000008